(57)【要約】【課題】簡単な構造で小型化、軽量化を図って容易に持ち運ぶことができ、携帯性、省スペース性に優れると共に、光源部やレンズなどの構成部品を筐体で保護しているので堅牢で、煩雑な作業が不要なので子供でも手軽に種々のものを観察することができ、場所や天候などに左右されることなく略一定の条件で観察を行うことが可能な観察作業性、取扱い性、耐久性に優れる小型顕微鏡の提供。【解決手段】電池収容部を有する中空状の筐体と、筐体内部に配設された光源部と、光源部が発する光が通過する通過孔を有し光源部と離間して筐体の上端側に形成された試料載置部と、筐体の上端部に着脱自在に覆設されたキャップ部と、キャップ部に配設され光源部と対向するレンズと、を備えている。【選択図】図１
0003122385.tif 000002
【実用新案登録請求の範囲】
【請求項１】
電池収容部を有する中空状の筐体と、前記筐体内部に配設された光源部と、前記光源部が発する光が通過する通過孔を有し前記光源部と離間して前記筐体の上端側に形成された試料載置部と、前記筐体の上端部に着脱自在に覆設されたキャップ部と、前記キャップ部に配設され前記光源部と対向するレンズと、を備えたことを特徴とする小型顕微鏡。
【請求項２】
前記光源部の光源が、発光ダイオードであることを特徴とする請求項１に記載の小型顕微鏡。
【請求項３】
前記試料載置部が、試料台を位置決めする試料台位置決め部を備えたことを特徴とする請求項１又は２に記載の小型顕微鏡。
【請求項４】
前記キャップ部が、前記試料載置部に載置される試料台の上面に当接して試料台を固定する試料台固定部を備えたことを特徴とする請求項１乃至３の内いずれか１項に記載の小型顕微鏡。
【請求項５】
前記試料載置部が、前記通過孔の外周に配設されたシール部材を備えたことを特徴とする請求項１乃至４の内いずれか１項に記載の小型顕微鏡。
【考案の詳細な説明】
【技術分野】
【０００１】
本考案は、観察や操作が簡単で、しかもコンパクトで携帯性に優れた小型顕微鏡に関するものである。
【背景技術】
【０００２】
従来の顕微鏡の照明装置としては、鏡などにより太陽光等の外部光源からの光を反射させるものや、実体顕微鏡のように周辺から別の照明光を照射するものもあるが、通常は、ハロゲンランプ、キセノンランプ、水銀ランプなどのランプを光源として、その光を光学系を通して観察するサンプルに照射している。また、ハロゲンランプや水銀ランプなどのランプの代わりに、半導体発光素子であるＬＥＤ（発光ダイオード）を顕微鏡の光源に使用することが検討されており、照明装置をコンパクト化し、被照明物体（サンプル）を明るさムラなく照明するために、面発光ＬＥＤ等の面発光照明装置を使用することについても提案されている。
携帯し易い小型の照明付き顕微鏡を提供することを目的として、（特許文献１）には「光経路の大部分が屈曲されるように配置された複数個の反射体を組入れたほぼ平らな本体を有し、観察台を形成するように配置された器械の本体の平らな外方表面と平行な単一の平面内で光経路が屈曲されていることを特徴とする顕微鏡。」が開示されている。
【特許文献１】特開平５−１１９２６１号公報
【考案の開示】
【考案が解決しようとする課題】
【０００３】
しかしながら上記従来の技術では、以下のような課題を有していた。
（１）（特許文献１）の顕微鏡は、従来の顕微鏡に比べ小型化が図られているが、複数個の反射体を組入れているため、光学系が複雑で量産性に欠け、携帯性が不十分であるという課題を有していた。
（２）また、照明源は、照明が透過光によって観察される物体へ提供される第１の位置と、照明が反射光によって観察される物体へ提供される第２の位置の間で観察台に対して相対的に移動することができるように構成されており、照明源が第１及び第２の位置の間での枢動のために顕微鏡の本体へ枢動可能に連結された腕上に取付けられているため、透過光による観察を行うためには、観察される物体が照明源と本体との間に配置され得るように該腕を第１の位置に移動させ、顕微鏡の本体から外方へ突出させなければならず、取扱い性に欠けるという課題を有していた。
（３）照明源が取り付けられた腕が顕微鏡の本体へ枢動可能に連結されるため、部品点数が増加し、機構が複雑化すると共に、繰り返し使用する間に腕などに破損が発生し易く信頼性に欠けるという課題を有していた。
（４）さらに、器械の本体が観察台を形成するように円板状に形成されており、その側部に接眼レンズが配設されているため、観察し難く、作業性、取扱い性に欠けるという課題を有していた。
【０００４】
本考案は上記従来の課題を解決するもので、簡単な構造で小型化、軽量化を図って容易に持ち運ぶことができ、携帯性、省スペース性に優れると共に、光源部やレンズなどの構成部品を筐体で保護しているので堅牢で、煩雑な作業が不要なので子供でも手軽に種々のものを観察することができ、場所や天候などに左右されることなく略一定の条件で観察を行うことが可能な観察作業性、取扱い性、耐久性に優れる小型顕微鏡の提供を目的とする。
【課題を解決するための手段】
【０００５】
上記課題を解決するために本考案の小型顕微鏡は、以下の構成を有している。
本考案の請求項１に記載の小型顕微鏡は、電池収容部を有する中空状の筐体と、前記筐体内部に配設された光源部と、前記光源部が発する光が通過する通過孔を有し前記光源部と離間して前記筐体の上端側に形成された試料載置部と、前記筐体の上端部に着脱自在に覆設されたキャップ部と、前記キャップ部に配設され前記光源部と対向するレンズと、を備えた構成を有している。
この構成により、以下のような作用を有する。
（１）電池収容部を有する中空状の筐体内部に光源部が配設されているので、光源部を電池で駆動することができ、筐体を小型化、軽量化することができると共に、光源部を筐体で保護することができ、取扱いの信頼性に優れる。
（２）光源部と離間して筐体の上端側に形成された試料載置部に、光源部が発する光が通過する通過孔を有し、筐体の上端部に着脱自在に覆設されたキャップ部に光源部と対向するレンズが配設されているので、光源部からレンズまでを一直線上に配置することができ、筐体の形状を簡素化できると共に、光源部と試料載置部との間に光学系が不要で、構造を簡素化して部品点数を低減することができ、小型化、軽量化を図ることができ、量産性に優れる。
（３）筐体の上端側に試料載置部が形成され、筐体の上端部にキャップ部が着脱自在に覆設されているので、筐体の内部に試料を収容した状態で観察を行うことができ、試料が落下する等して紛失することを防止することができ信頼性に優れると共に、キャップ部を着脱して容易に試料の交換作業を行うことができ、観察作業性に優れる。
（４）レンズが配設されたキャップ部を筐体に取り付けることにより、試料載置部からレンズまでの距離を略一定に保つことができ、予めレンズの焦点距離に応じて試料載置部からレンズまでの距離が設定されているので、観察時にピント合わせ等の煩雑な作業が不要で小さな子供でも手軽に使用することができ、観察作業性に優れる。
（５）光源部が筐体の内部に収容されているので、場所や天候などに左右されることがなく、雨天時や夜間時或いは暗所などにおいても、いつでも確実に試料に光源からの光を照射して観察を行うことができ汎用性に優れる。
【０００６】
ここで、筐体やキャップ部の材質には、軽量で成形性に優れるポリエチレン、ポリプロピレン、ポリスチレン、ＡＢＳ樹脂、ＡＳ樹脂等の合成樹脂が好適に用いられる。
筐体は光源部の駆動源となる電池の形状に応じて、中空の円柱状や角柱状などに形成することができる。電池としてボタン電池や単５形等の小型のものを用いることにより、ポケットに入れて手軽に持ち運べる程度まで筐体を小型化することができ、携帯性に優れる。
筐体は半割にして形成し、内部に光源部その他の構成部品を収容した後、嵌合、ねじ止め、接着などの手段により組み立てることができる。特に円柱状の筐体は成形が容易で耐久性に優れると共に、外周に出っ張りなどがなく破損が発生し難く、携帯性、取り扱い性に優れる。
光源部の光源としては、試料に光を照射できるものであればよいが、発光ダイオードや有機ＥＬ素子等が好適に用いられる。
【０００７】
筐体とキャップ部は、着脱自在に固定することができればよく、各々に形成された凸部と凹部を互いに係止させて嵌合する手段や、雄ねじと雌ねじによって螺合する手段などが好適に用いられる。
レンズとしては、薄い平板状で明るく球面収差が少ないフレネルレンズや高倍率の球形レンズ等が好適に用いられる。材質としては、ガラスやメタクリル樹脂，ポリカーボネート，高密度ポリエチレン等の合成樹脂が好適に用いられる。
レンズ取り付け位置をキャップ部表面よりも筐体側に凹ませた場合、レンズの表面の汚れや傷つき、破損等を防止することができ取り扱い性に優れる。
観察を行う際には、試料載置部に透明なプラスチック板などで形成された透過性の試料台を載置し、その上に試料を載せてからキャップ部を取り付けることにより試料を筐体の内部に収容することができる。
尚、レンズが球形レンズである場合には、外部からレンズの表面に直接、試料を擦りつける等しても観察を行うことができ、キャップ部の着脱作用を不要とすることができる。
【０００８】
請求項２に記載の考案は、請求項１に記載の小型顕微鏡であって、前記光源部の光源が、発光ダイオードである構成を有している。
この構成により、請求項１の作用に加え、以下のような作用を有する。
（１）光源部の光源が発光ダイオードであることにより、光源の長寿命性に優れ、低消費電力で省エネルギー性に優れ、光源部の小型化、薄型化が容易で、筐体のデザインの自由度が高く、設計自在性に優れる。
ここで、発光ダイオードとしては、観察に最適な白色光を照射するものが好ましいが、単体で白色光を照射するものでもよいし、フルカラー（Ｒ，Ｇ，Ｂの組合せ）で白色光を照射するものでもよい。また、発光ムラが少なく均一な発光が可能な面発光タイプが好ましいが、十分な光量を得ることができれば点発光タイプでも構わない。
【０００９】
請求項３に記載の考案は、請求項１又は２に記載の小型顕微鏡であって、前記試料載置部が、試料台を位置決めする試料台位置決め部を備えた構成を有している。
この構成により、請求項１又は２の作用に加え、以下のような作用を有する。
（１）試料載置部が試料台を位置決めする試料台位置決め部を有することにより、試料台を筐体内に位置決めして保持することができ試料台の位置ずれを防止できると共に、試料台を簡便に交換して様々な観察を行うことができ、観察作業性に優れる。
【００１０】
ここで、試料台位置決め部としては、試料台の端面に当接して試料台の位置ずれを防止できるものであればよい。試料台の外形に合わせて試料台の全周を囲繞するように凸条に形成してもよいが、独立した複数の突起を設けてもよい。４箇所の突起がそれぞれ試料台の前後左右の端面に当接するようにすれば試料台の位置ずれを確実に防止できると共に、試料台の交換が容易で取り扱い性に優れる。また、逆Ｌ字型の係止爪や略コ字型の係止溝などで試料台位置決め部を形成した場合、試料載置部の上面に試料台を確実に保持して脱落を防止でき信頼性に優れる。
試料台を試料台位置決め部に着脱する際には、キャップ部を取り外してから行うが、筐体の側部に試料台を挿通するための開口部を形成した場合には、キャップ部を取り外すことなく、筐体の外部から試料台をスライドさせて着脱作業を行うことができ、作業性に優れる。
試料台は、光源の光を透過できるものであればよいが、割れや欠け等が発生し難く耐久性に優れる合成樹脂製の平板が好適に用いられる。
【００１１】
請求項４に記載の考案は、請求項１乃至３の内いずれか１項に記載の小型顕微鏡であって、前記キャップ部が、前記試料載置部に載置される試料台の上面に当接して試料台を固定する試料台固定部を備えた構成を有している。
この構成により、請求項１乃至３の内いずれか１項の作用に加え、以下のような作用を有する。
（１）キャップ部が試料載置部に載置される試料台の上面に当接して試料台を固定する試料台固定部を有するので、試料載置部に試料台を載置した後に、筐体にキャップ部を取り付けるだけで簡便かつ確実に試料台を固定することができ取り扱い性に優れる。
【００１２】
ここで、試料台固定部としては、キャップ部の底部に突設され、試料載置部の通過孔を遮ることなく試料台の上面に当接するものであればよい。例えば、キャップ部の底部に通過孔の外周に沿うように凸条に形成したもの等が好適に用いられる。試料台固定部はキャップ部と同一の材質で一体に形成してもよいが、合成ゴム等の弾性体をキャップ部の底部に配設して形成した場合は、試料台固定部を試料台に確実に密着させて固定できると共に、試料台の破損を防止することができ信頼性に優れる。
【００１３】
請求項５に記載の考案は、請求項１乃至４の内いずれか１項に記載の小型顕微鏡であって、前記試料載置部が、前記通過孔の外周に配設されたシール部材を備えた構成を有している。
この構成により、請求項１乃至４の内いずれか１項の作用に加え、以下のような作用を有する。
（１）試料載置部が通過孔の外周に配設されたシール部材を有することにより、試料台に液体などの試料を滴下して観察を行う際に、試料が筐体の内部に浸入することを防止でき、光源部や筐体に収容された電池などを液体から確実に保護することができ信頼性に優れる。
【００１４】
ここで、シール部材としては合成ゴム等で環状に形成されたパッキンが好適に用いられる。通過孔の外周に凹条の取り付け溝を形成し、シール部材の上端側が試料載置部よりも突出するように配設しておけば、試料台を載置したときに試料台の裏面とシール部材の上面が密着し、液体等の試料が通過孔から筐体の内部に浸入することを防止できる。
尚、通過孔の外周に環状のシール部材を設ける代わりに、通過孔を透過性のフィルムやシートで塞いでもよい。
【考案の効果】
【００１５】
以上のように、本考案の小型顕微鏡によれば、以下のような有利な効果が得られる。
請求項１に記載の考案によれば、以下のような効果を有する。
（１）筐体の内部に収容された光源部と離間して、筐体の上端側に光の通過孔を有する試料載置部が形成され、筐体の上端部に光源部と対向するレンズが配設されたキャップ部が覆設されることにより、光源部からレンズまでを一直線上に配置して筐体の形状を簡素化でき、光源部と試料載置部との間に光学系が不要で部品点数を低減することができ、簡素な構造で小型、軽量で量産性、携帯性に優れた小型顕微鏡を提供することができる。
（２）筐体の上端部にキャップ部を着脱自在に覆設することにより、試料載置部に載置された試料を筐体の内部に収容した状態で観察を行うことができ、試料が落下する等して紛失することを防止できると共に、キャップ部を着脱して容易に試料の交換作業を行うことができる信頼性、観察作業性に優れた小型顕微鏡を提供することができる。
（３）レンズの位置がキャップ部で固定されていることにより、試料載置部からレンズまでの距離が略一定に保たれるので、観察時にピント合わせ等の煩雑な作業が不要で小さな子供でも手軽に使用することができる観察作業性に優れた小型顕微鏡を提供することができる。
【００１６】
請求項２に記載の考案によれば、請求項１の効果に加え、以下のような効果を有する。（１）光源部の光源が発光ダイオードであることにより、光源の長寿命性に優れ、低消費電力で省エネルギー性に優れ、光源部の小型化、薄型化が容易で、筐体のデザインの自由度が高く、設計自在性に優れた小型顕微鏡を提供することができる。
【００１７】
請求項３に記載の考案によれば、請求項１又は２の効果に加え、以下のような効果を有する。
（１）試料載置部に形成された試料台位置決め部に試料台を着脱自在に保持することができるので、観察時は筐体内に試料台を位置決めして保持することができると共に、簡便に試料台を交換して様々な観察を行うことができる観察作業性に優れた小型顕微鏡を提供することができる。
【００１８】
請求項４に記載の考案によれば、請求項１乃至３の内いずれか１項の効果に加え、以下のような効果を有する。
（１）キャップ部に形成された試料台固定部を試料載置部に載置される試料台の上面に当接させて試料台を固定することができるので、試料載置部に試料台を載置した後に、筐体にキャップ部を取り付けるだけで簡便かつ確実に試料台を固定することができる取り扱い性に優れた小型顕微鏡を提供することができる。
【００１９】
請求項５に記載の考案によれば、請求項１乃至４の内いずれか１項の効果に加え、以下のような効果を有する。
（１）試料載置部の通過孔の外周に配設されたシール部により、試料台に滴下した液体が筐体の内部に浸入することを防止でき、光源部や筐体に収容された電池などを液体から確実に保護することができる信頼性に優れた小型顕微鏡を提供することができる。
【考案を実施するための最良の形態】
【００２０】
以下、本考案の実施の形態における小型顕微鏡について、以下図面を参照しながら説明する。
（実施の形態１）
図１は実施の形態１における小型顕微鏡を示す斜視図であり、図２は実施の形態１における小型顕微鏡を示す断面側面図である。
図１中、１は実施の形態１における小型顕微鏡、２はポリエチレン、ポリプロピレン、ポリスチレン、ＡＢＳ樹脂、ＡＳ樹脂等の合成樹脂で半割にして中空円筒状に形成された小型顕微鏡１の筐体、２ａは筐体２の内周面に凸条に形成され光源部３の基板３ａの上下面に当接して基板３ａを挟持する２つの基板固定凸部、４は基板３ａの上面に配設された面発光の発光ダイオードを用いた光源部３の光源、５は基板３ａの上面に配設され光源４の点灯と消灯を切り替える光源部３のスイッチ、５ａは筐体２の外側部に露出して配設されたスイッチ５の操作部、６ａは基板３ａの裏面側から筐体２の内周面に沿って下端側まで延設され筐体２の電池収容部７に収容されたボタン電池１５のプラス端子１５ａに当接する板バネ状のプラス電極、６ｂは基板３ａの裏面側に配設されボタン電池１５のマイナス端子１５ｂに当接する略Ｌ字型のマイナス電極、８は光源部３と離間して筐体２の上端側に形成された小型顕微鏡１の試料載置部、８ａは試料載置部８の略中央に穿設され光源部３の光源４が発する光が通過する通過孔、９は略有底円筒状に形成され筐体２の底部に着脱自在に配設されて電池収容部７を開閉する小型顕微鏡１の開閉蓋、９ｂは開閉蓋９の底部９ａの内面に略中央部に突設され電池収容部７に収容された電池１５のプラス端子１５ａに当接する当接部、９ｄは開閉蓋９の周壁部９ｃの上端側の内周面に断続的な凸条に形成され筐体２の下端側外周に断続的な凸条に形成された開閉蓋固定部２ｂと互いに係合した開閉蓋９の係合凸部、１０は開閉蓋９ａの底部９ａの外表面に配設され取り付け紐などが挿通される環状挿通部、１１は筐体２の上端部に着脱自在に覆設された小型顕微鏡１のキャップ部、１１ｂはキャップ部１１の周壁部１１ａの下端側の内周面に断続的な凸条に形成され筐体２の上端外周に断続的な凸条に形成されたキャップ固定部２ｃと互いに係合したキャップ部１１の係合凸部、１２はキャップ部１１の略中央で試料載置部８側に突出するように形成され試料載置部８に載置される試料台の上面に当接して試料台を固定する試料台固定部、１３は試料台固定部１２に配設されキャップ部１１の略中央で光源部３と対向する小型顕微鏡１のレンズである。
【００２１】
円筒状の筐体２は半割にした半円筒状の部材を２つ組み合わせて円筒状に形成し、下端側及び上端側の外周にそれぞれ開閉蓋固定部２ｂ及びキャップ固定部２ｃを断続的な凸条に形成した。これにより、開閉蓋９及びキャップ部１１をそれぞれ回転させるだけで周壁部９ｃ，１１ａの内周面に形成された各々の係合凸部９ｄ，１１ｂを開閉蓋固定部２ｂ及びキャップ固定部２ｃに係合させて固定することができ、取り扱い性に優れる。また、筐体２の外周に出っ張りなどがないので、破損が発生し難く、携帯性、取り扱い性に優れる。
尚、筐体２と開閉蓋９及びキャップ部１１の固定手段は本実施の形態に限定されるものではなく、筐体２に対して開閉蓋９及びキャップ部１１を着脱自在に固定できるものであればよい。
【００２２】
光源４には単体で白色光を照射することができる面発光タイプの発光ダイオードを使用した。これにより、発光ムラが少なく均一な発光が可能で視認性に優れると共に、光源部３全体を小型化することができ設計自在性に優れる。
尚、光源４は本実施の形態に限定されるものではなく、試料に対して観察に十分な光を照射できるものであればよい。
レンズ１３としては、高倍率の特殊ガラスレンズチップを使用した。これにより、キャップ部１１を軽量化、小型化して取り扱い性を向上させている。
また、レンズ１３はキャップ部１１の表面よりも筐体２の内側に凹ませた位置に配設した。これにより、レンズ１３の表面の汚れや傷つき、破損等を防止することができ取り扱い性に優れる。
尚、レンズ１３の倍率は試料の種類に応じて適宜、選択することができる。予め倍率の異なるレンズ１３が配設された複数のキャップ部１１を用意しておけば、試料に応じてキャップ部１１を交換するだけで、最適な倍率で観察を行うことができ、観察作業性に優れる。
【００２３】
開閉蓋９ａに形成した環状挿通部１０に紐などを挿通することにより、キーホルダーなどに取り付けることができ携帯性に優れる。筐体２の外側やキャップ部１１の周壁部１１ａの外側などに開閉蓋９ａと同様の環状挿通部を設けた場合、それらを互いに紐などで連結することができ、開閉蓋９ａやキャップ部１１の紛失を防止できる。また、環状挿通部１０に倍率の異なるレンズを備えた交換用のキャップ部を連結しておけば、必要に応じて即座にキャップ部１１の交換を行うことができ取り扱い性に優れる。
【００２４】
以上のように形成された実施の形態１における小型顕微鏡の使用方法について説明する。
図３（ａ）は実施の形態１における小型顕微鏡の試料載置部に試料台を載置した状態を示す要部断面側面図であり、図３（ｂ）は実施の形態１における小型顕微鏡の試料載置部に試料台を固定した状態を示す要部断面側面図である。
図３中、２０は透明なプラスチック板などで形成され試料載置部８に載置された透過性の試料台、２１は試料台２０上に載置された観察対象の試料である。
まず、筐体２からキャップ部１１を取り外し、図３（ａ）に示すように、試料載置部８に試料２１を載せた試料台２０を載置する。
次に、図３（ｂ）に示すように、筐体２にキャップ部１１を取り付ける。試料台固定部１２が試料台２０の上面に当接し、試料台２０が試料載置部８とキャップ部１１の間に固定される。
筐体２の側部に配設されたスイッチ５の操作部５ａをスライドさせることにより、光源部３の光源４が点灯し、試料２１に光が照射される（図１，２参照）。
観察者はレンズ１３を通して拡大された試料２１の観察を行うことができる。
尚、観察対象としては、ミジンコなどの微生物、食塩などの結晶、ビフィズス菌などの細菌などが挙げられる。
【００２５】
以上のように実施の形態１における小型顕微鏡は構成されているので、以下の作用を有する。
（１）電池収容部７を有する中空状の筐体２内部に光源部３が配設されているので、光源部３を電池１５で駆動することができ、筐体２を小型化、軽量化することができると共に、光源部３を筐体２で保護することができ、取扱いの信頼性に優れる。
（２）光源部３と離間して筐体２の上端側に形成された試料載置部８に、光源部３が発する光が通過する通過孔８ａを有し、筐体２の上端部に着脱自在に覆設されたキャップ部１１に光源部２と対向するレンズ１３が配設されているので、光源部３からレンズ１３までを一直線上に配置することができ、筐体２の形状を簡素化できると共に、光源部３と試料載置部８との間に光学系が不要で、構造を簡素化して部品点数を低減することができ、小型化、軽量化を図ることができ、量産性に優れる。
（３）筐体２の上端側に試料載置部８が形成され、筐体２の上端部にキャップ部１１が着脱自在に覆設されているので、筐体２の内部に試料２１を収容した状態で観察を行うことができ、試料２１が落下する等して紛失することを防止することができ信頼性に優れると共に、キャップ部１１を着脱して容易に試料２１の交換作業を行うことができ、観察作業性に優れる。
（４）レンズ１３が配設されたキャップ部１１を筐体２に取り付けることにより、試料載置部８からレンズ１３までの距離が略一定になるので、予めレンズ１３の焦点距離に応じて試料載置部８からレンズ１３までの距離が設定され、観察時にピント合わせ等の煩雑な作業が不要で小さな子供でも手軽に使用することができ、観察作業性に優れる。
（５）光源部３が筐体２の内部に収容されているので、場所や天候などに左右されることがなく、雨天時や夜間時或いは暗所などにおいても、いつでも確実に試料２１に光源４からの光を照射して観察を行うことができ汎用性に優れる。
（６）光源部３の光源４が発光ダイオードであることにより、光源４の長寿命性に優れ、低消費電力で省エネルギー性に優れ、光源部３の小型化、薄型化が容易で、筐体２のデザインの自由度が高く、設計自在性に優れる。
（７）キャップ部１１が試料載置部８に載置される試料台２０の上面に当接して試料台２０を固定する試料台固定部１２を有するので、試料載置部８に試料台２０を載置した後に、筐体２にキャップ部１１を取り付けるだけで簡便かつ確実に試料台２０を固定することができ取り扱い性に優れる。
（８）光源部３の駆動源としてボタン電池１５を用いることにより、筐体２を小型化することができ、小型顕微鏡１を軽量化して携帯性を向上させることができる。
（９）試料台２０を試料載置部８に載置して通過孔８ａを塞ぐことができるので、試料２１が水分を含有するような場合でも、その水分による電気障害を防止することができ、信頼性に優れる。
（１０）開閉蓋９が筐体２の底部に着脱自在に配設されているので、開閉蓋９を取り外すことにより容易にボタン電池１５を交換することができ取り扱い性に優れる。
【００２６】
（実施の形態２）
図４は実施の形態２における小型顕微鏡の試料載置部を示す要部断面側面図である。尚、実施の形態１と同様のものは同じ符号を付して説明を省略する。
図４において、実施の形態２における小型顕微鏡が実施の形態１と異なるのは、試料載置部８の上面に突設され、試料台２０の前後左右の端面に当接して試料台２０を位置決めする４箇所の突起状の試料台位置決め部８ｂを備えている点である。
試料台位置決め部８ｂが独立した複数の突起状に形成されているので、試料台２０の位置ずれを確実に防止できると共に、試料台２０の一部を摘んで容易に交換作業を行うことができ、取り扱い性に優れる。
試料台位置決め部８ｂの形状及び配置は本実施の形態に限定されるものではなく、試料載置部８上に試料台２０を位置決めできるものであればよい。
尚、実施の形態２における小型顕微鏡の使用方法は、実施の形態１と同様なので説明を省略する。
【００２７】
以上のように実施の形態２における小型顕微鏡は構成されているので、実施の形態１で得られる作用に加え、以下の作用を有する。
（１）試料載置部８が試料台２０を位置決めする試料台位置決め部８ｂを有することにより、試料台２０を筐体２内に位置決めして保持することができ試料台２０の位置ずれを防止できると共に、試料台２０を簡便に交換して様々な観察を行うことができ、観察作業性に優れる。
【００２８】
（実施の形態３）
図５は実施の形態３における小型顕微鏡の試料載置部に試料台を固定した状態を示す要部断面側面図である。尚、実施の形態１と同様のものは同じ符号を付して説明を省略する。
図５において、実施の形態３における小型顕微鏡が実施の形態１と異なるのは、試料載置部８の通過孔８ａの外周に凹条の取り付け溝８ｃが形成され、合成ゴム等で環状に形成されたシール部材８ｄが配設されている点である。
シール部材８ｄの上端側が試料載置部８の上面よりも突出するように配設しておけば、試料載置部８に試料台２０を載置してキャップ部１１を取り付けた際に、シール部材８ｄが押し潰されて試料台２０の裏面とシール部材８ｄの上面が密着し、液体等の試料２１が通過孔８ａから筐体２の内部に浸入することを防止できる。
尚、実施の形態３における小型顕微鏡の使用方法は、実施の形態１と同様なので説明を省略する。
【００２９】
以上のように実施の形態３における小型顕微鏡は構成されているので、実施の形態１で得られる作用に加え、以下の作用を有する。
（１）試料載置部８が通過孔８ａの外周に配設されたシール部材８ｄを有することにより、試料台２０に液体などの試料２１を滴下して観察を行う際に、試料２１が筐体２の内部に浸入することを防止でき、光源部３や筐体２に収容された電池１５などを液体から確実に保護することができ信頼性に優れる。
【００３０】
本考案は、簡単な構造で小型化、軽量化を図って容易に持ち運ぶことができ、携帯性、省スペース性に優れると共に、光源部やレンズなどの構成部品を筐体で保護しているので堅牢で、煩雑な作業が不要なので子供でも手軽に種々のものを観察することができ、場所や天候などに左右されることなく略一定の条件で観察を行うことが可能な観察作業性、取扱い性、耐久性に優れる小型顕微鏡の提供を行うもので、簡便に微生物、結晶、細菌などの観察を実現することができる。
【図面の簡単な説明】
【００３１】
【図１】実施の形態１における小型顕微鏡を示す斜視図
【図２】実施の形態１における小型顕微鏡を示す断面側面図
【図３】（ａ）実施の形態１における小型顕微鏡の試料載置部に試料台を載置した状態を示す要部断面側面図（ｂ）実施の形態１における小型顕微鏡の試料載置部に試料台を固定した状態を示す要部断面側面図
【図４】実施の形態２における小型顕微鏡の試料載置部を示す要部断面側面図
【図５】実施の形態３における小型顕微鏡の試料載置部に試料台を固定した状態を示す要部断面側面図
【符号の説明】
【００３２】
１  小型顕微鏡
２  筐体
２ａ  基板固定凸部
２ｂ  開閉蓋固定部
２ｃ  キャップ固定部
３  光源部
３ａ  基板
４  光源
５  スイッチ
５ａ  操作部
６ａ  プラス電極
６ｂ  マイナス電極
７  電池収容部
８  試料載置部
８ａ  通過孔
８ｂ  試料台位置決め部
８ｃ  取り付け溝
８ｄ  シール部材
９  開閉蓋
９ａ  底部
９ｂ  当接部
９ｄ，１１ｂ  係合凸部
９ｃ  周壁部
１０  環状挿通部
１１  キャップ部
１２  試料台固定部
１３  レンズ
１５  電池
１５ａ  プラス端子
１５ｂ  マイナス端子
２０  試料台
２１  試料
【図１】
0003122385.tif 000003
【図２】
0003122385.tif 000004
【図３】
0003122385.tif 000005
【図４】
0003122385.tif 000006
【図５】
0003122385.tif 000007